(57)【要約】【課題】カード部を剥離し易くし、ＰＩＮコードが外見から視認されることがなく、不正使用を防止した台紙一体型カードを提供する。【解決手段】本発明の台紙一体型カード１００は、カード部２０を隠蔽する面部分と表示板部分１７とを有する不透明な第一基材と、カード部となる領域を含む不透明な第二基材と、の間の少なくともカード部２０となる領域とカード部を隠蔽する面部分とが疑似接着構造を介して接着され、前記疑似接着構造領域に対して、カード外周形状に相当する切り込み２３が前記第二基材１１の外面側から前記疑似接着構造の剥離界面に達する深さに形成され、前記第二基材の疑似接着構造側の面であって、前記カード部２０となる領域内に、固有のＰＩＮコードと光学読取り可能なコード情報が少なくとも一つ形成され、前記光学読取り可能なコード情報と同じコード情報が前記第一基材の外面側に形成されていることを特徴とする。【選択図】  図１
2015033846.tif 000002
【特許請求の範囲】
【請求項１】
カード部を隠蔽する面部分と表示板部分とを有する不透明な第一基材と、カード部となる領域を含む不透明な第二基材と、の間の少なくともカード部となる領域と第一基材のカード部を隠蔽する面部分とが疑似接着構造を介して接着され、前記カード部となる領域の前記疑似接着構造が存在する領域に対して、カード外周形状に相当する切り込みが前記第二基材の外面側から前記疑似接着構造の剥離界面に達する深さに形成され、前記第二基材の疑似接着構造側の面であって、前記カード部となる領域内に、固有のＰＩＮコードと光学読取り可能なコード情報が少なくとも一つ形成され、前記光学読取り可能なコード情報と同じコード情報が前記第一基材の外面側に形成されていることを特徴とする台紙一体型カード。
【請求項２】
前記第一基材と前記第二基材が、第一基材のカード部を隠蔽する面部分と第二基材のカード部となる領域との間の折り線を介して接続し、該折り線を介して第一基材と第二基材が折り畳まれ、かつ前記疑似接着構造を介して接着していることを特徴とする請求項１記載の台紙一体型カード。
【請求項３】
前記表示板部分の少なくとも引掛け孔部分に補強材を設けたことを特徴とする請求項１または請求項２記載の台紙一体型カード。
【請求項４】
カード部を隠蔽する面部分と表示板部分とを有する不透明な第一基材と、カード部と表示板部分となる領域を含む不透明な第二基材と、の間の少なくともカード部となる領域と第一基材のカード部を隠蔽する面部分とが疑似接着構造を介して接着され、前記カード部となる領域の前記疑似接着構造が存在する領域に対して、カード外周形状に相当する切り込みが前記第二基材の外面側から前記疑似接着構造の剥離界面に達する深さに形成され、前記第二基材の疑似接着構造側の面であって、前記カード部となる領域内に、固有のＰＩＮコードと光学読取り可能なコード情報が少なくとも一つ形成され、前記光学読取り可能なコード情報と同じコード情報が前記第一基材の外面側に形成されていることを特徴とする台紙一体型カード。
【請求項５】
前記第一基材と前記第二基材が、双方の表示板部分間の折り線を介して接続し、該折り線を介して第一基材と第二基材が折り畳まれ、かつ前記疑似接着構造を介して第一基材と第二基材との間のほぼ全域が接着していることを特徴とする請求項４記載の台紙一体型カード。
【請求項６】
前記第一基材と前記第二基材の表示板部分の間であって、少なくとも引掛け孔部分に補強材を設けたことを特徴とする請求項４または請求項５記載の台紙一体型カード。
【請求項７】
カード部を隠蔽する面部分と表示板部分とを有する不透明な第一基材と、カード部と表示板部分となる領域を含む不透明な第二基材と、の間のカード部となる領域と第一基材のカード部を隠蔽する面部分、および第一基材と第二基材の表示板部分、とが疑似接着構造を介して接着され、前記カード部となる領域の前記疑似接着構造が存在する領域に対して、カード外周形状に相当する切り込みが前記第二基材の外面側から前記疑似接着構造の剥離界面に達する深さに形成され、前記第二基材の疑似接着構造側の面であって、前記カード部となる領域内に、固有のＰＩＮコードと光学読取り可能なコード情報が少なくとも一つ形成され、前記光学読取り可能なコード情報と同じコード情報が前記第一基材の外面側に形成されていることを特徴とする台紙一体型カード。
【請求項８】
前記第一基材と前記第二基材が、第一基材のカード部を隠蔽する面部分と第二基材のカード部となる領域との間の折り線を介して接続し、該折り線を介して第一基材と第二基材が折り畳まれ、かつ前記疑似接着構造を介して第一基材と第二基材との間のほぼ全域が接着していることを特徴とする請求項７記載の台紙一体型カード。
【請求項９】
前記コード情報が、一次元コードまたは二次元コードであることを特徴とする請求項１、請求項４、請求項７の何れか１の請求項記載の台紙一体型カード。
【発明の詳細な説明】
【技術分野】
【０００１】
本発明は、台紙一体型カードに関する。詳しくは、インターネット上の取引価値を有するカードであって、店頭で販売されるものであるが、プラスチックシートまたは厚紙を基材としたカードとカード台紙間が疑似接着構造により接着されていることを特徴とする台紙一体型カードに関する。
【背景技術】
【０００２】
近年、従来のプリペイドカードに加えて、ネット上の仮想店舗で使用できるカード媒体が店頭で販売されている。従来のこの種カードは、金銭の支払いによりカードを購入し、カードに記載されているピン（ＰＩＮ）コードを自分のパーソナルコンピュータ（ＰＣ）に入力することで、対価に見合ったネット取引が可能となるものである。
しかし、従来のカードでは、正当に金銭を支払った場合のみならず、店頭にあるカードを金銭の支払いなしで持ち去った場合でも、ＰＣで該カードのＰＩＮコードを入力すれば、有効に使用可能になってしまう問題があった。
そこで、最近は、カードにピン（ＰＩＮ）コードの他にバーコードを持たせ、店頭で正しく対価が支払われた場合に、店員が当該バーコードを読み取りして、レジに入力した場合に限り、当該ピン（ＰＩＮ）コードが有効に機能するシステムにされている。
【０００３】
ネット取引用のカードの例として、音楽ダウンロード用のプリペイドカード（ｉＴｕｎｅｓ  Ｃａｒｄ（登録商標））やゲームを楽しむプリペイドカード（ニンテンドープリペイドカード、プレイステーションネットワークカード（いずれも登録商標））等がある。
【０００４】
中でもＰＯＳＡ（Ｐｏｉｎｔ  ｏｆ  Ｓａｌｅｓ  Ａｃｔｉｖａｔｉｏｎ）カード（インコム・ジャパン株式会社の登録商標）は、購入希望者の支払いが完了した時点で、レジで店員がバーコードを読み取りした場合に、カードに記載されているＰＩＮコードが使用可能となる（有効化される）カードである。すなわち、店頭に陳列してあるだけのカードは“無価値”な状態にあることになる。購入者はカードに記載されているＰＩＮコードを入手し、ＰＣにＰＩＮコードを入力することにより、カードの金銭価値がシステム上に発生する。発生した金銭価値を使い切れば、カードの本来の目的は達成されるので、その後のカード自体の実用価値はなく、やはり“無価値”になるが、カードに各種のデザインを施すことで、蒐集目的の対象とされる場合がある。
【０００５】
この種カードは、一般に紙の台紙にＰＥＴ（ポリエチレンテレフタレート）や紙製のカードが貼付されている形態のものが多いが、カードが無く台紙に直接ＰＩＮコードとバーコードが印字されている形態のものもある。それらは、本願の対象とは相違している。
【０００６】
ＰＩＮコードは、カードに固有なコードであって、従来、一般的にはＰＩＮコードはスクラッチ層で覆われていて、外見からは見えないようにされている。カードを購入して、カードによるサービスを利用する場合は、スクラッチ層を削り取って、ＰＩＮが見えるようにする。従って、スクラッチ層が削り取られた形跡をもって、当該カードが未使用カードか否かの判別をすることもできる。
スクラッチ層が重要な機能をするため、スクラッチ層としては、例えば、特許文献１あるいは特許文献２のような改ざんや偽造が困難なものが求められていた。
【先行技術文献】
【特許文献】
【０００７】
【特許文献１】特許第３８３０６０２号公報
【特許文献２】特許第４９７３１６３号公報
【発明の概要】
【発明が解決しようとする課題】
【０００８】
しかし、特許文献１あるいは特許文献２に記載されるようなスクラッチ層の形成は、技術的にも材料的にも特殊な要素を含んでいて、コスト高になる問題がある。
そこで本発明は、疑似接着構造を用いることで基材間を接着して使用履歴を明確にするとともに、ＰＩＮコードを隠蔽することができ、カード部の手剥がしもし易い台紙一体型カードの提供を課題とするものである。
【課題を解決するための手段】
【０００９】
本発明の要旨の第１は、カード部を隠蔽する面部分と表示板部分とを有する不透明な第一基材と、カード部となる領域を含む不透明な第二基材と、の間の少なくともカード部となる領域と第一基材のカード部を隠蔽する面部分とが疑似接着構造を介して接着され、前記カード部となる領域の前記疑似接着構造が存在する領域に対して、カード外周形状に相当する切り込みが前記第二基材の外面側から前記疑似接着構造の剥離界面に達する深さに形成され、前記第二基材の疑似接着構造側の面であって、前記カード部となる領域内に、固有のＰＩＮコードと光学読取り可能なコード情報が少なくとも一つ形成され、前記光学読取り可能なコード情報と同じコード情報が前記第一基材の外面側に形成されていることを特徴とする台紙一体型カード、にある。
【００１０】
本発明の要旨の第２は、カード部を隠蔽する面部分と表示板部分とを有する不透明な第一基材と、カード部と表示板部分となる領域を含む不透明な第二基材と、の間の少なくともカード部となる領域と第一基材のカード部を隠蔽する面部分とが疑似接着構造を介して接着され、前記カード部となる領域の前記疑似接着構造が存在する領域に対して、カード外周形状に相当する切り込みが前記第二基材の外面側から前記疑似接着構造の剥離界面に達する深さに形成され、前記第二基材の疑似接着構造側の面であって、前記カード部となる領域内に、固有のＰＩＮコードと光学読取り可能なコード情報が少なくとも一つ形成され、前記光学読取り可能なコード情報と同じコード情報が前記第一基材の外面側に形成されていることを特徴とする台紙一体型カード、にある。
【００１１】
本発明の要旨の第３は、カード部を隠蔽する面部分と表示板部分とを有する不透明な第一基材と、カード部と表示板部分となる領域を含む不透明な第二基材と、の間のカード部となる領域と第一基材のカード部を隠蔽する面部分、および第一基材と第二基材の表示板部分、とが疑似接着構造を介して接着され、前記カード部となる領域の前記疑似接着構造が存在する領域に対して、カード外周形状に相当する切り込みが前記第二基材の外面側から前記疑似接着構造の剥離界面に達する深さに形成され、前記第二基材の疑似接着構造側の面であって、前記カード部となる領域内に、固有のＰＩＮコードと光学読取り可能なコード情報が少なくとも一つ形成され、前記光学読取り可能なコード情報と同じコード情報が前記第一基材の外面側に形成されていることを特徴とする台紙一体型カード、にある。
【発明の効果】
【００１２】
第一基材と第二基材の間の少なくともカード部を疑似接着構造とすることにより、カード部を第一基材から容易に手剥がしすることができる。
第一基材も第二基材も不透明なので、内面のＰＩＮコードを隠蔽することができ、従来のようにスクラッチ層を設ける必要がない。
第一基材と第二基材を連接した状態で製造する場合は、カード部とカード台紙を同時に製造することができる。
台紙のカード部を隠蔽する面部分の外面にもカード部と同一のコード情報を持たせているので、カード部を剥離しないで、コード情報の記録をレジ担当者が行うことができる。
【図面の簡単な説明】
【００１３】
【図１】第１実施形態に係る台紙一体型カードの平面図である。
【図２】第１実施形態に係る台紙一体型カードの背面図である。
【図３】第１実施形態に係る台紙一体型カードの断面図である。
【図４】第１実施形態に係る台紙一体型カードを折り線から開いた場合の疑似接着構造側の見開き図である。
【図５】第１実施形態に係る台紙一体型カードの図４とは、反対側面の見開き図である。
【図６】第２実施形態に係る台紙一体型カードの平面図である。
【図７】第２実施形態に係る台紙一体型カードの背面図である。
【図８】第２実施形態に係る台紙一体型カードの断面図である。
【図９】第２実施形態に係る台紙一体型カードを折り線から開いた場合の疑似接着構造側の見開き図である。
【図１０】第２実施形態に係る台紙一体型カードを折り線から開いた場合の全域に設けた疑似接着構造側からの見開き図である。
【図１１】第２実施形態に係る台紙一体型カードの図９、図１０とは、反対側面の見開き図である。
【図１２】第３実施形態に係る台紙一体型カードの平面図である。
【図１３】第３実施形態に係る台紙一体型カードの背面図である。
【図１４】第３実施形態に係る台紙一体型カードの断面図である。
【図１５】第３実施形態に係る台紙一体型カードを折り線から開いた場合の疑似接着構造側の見開き図である。
【図１６】第３実施形態に係る台紙一体型カードの図１５とは、反対側面の見開き図である。
【発明を実施するための形態】
【００１４】
本発明の台紙一体型カードには、３種の実施形態（第１、第２、第３）があるので、以下、実施形態に従い、図面を参照して順次説明する。
【００１５】
図１は、第１実施形態に係る台紙一体型カードの平面図である。
第１実施形態に係る台紙一体型カード１００は、カード部２０を隠蔽する面部分と表示板部分１７とを有する不透明な第一基材１０と、カード部２０となる領域を含む不透明な第二基材１１と、の間の少なくともカード部となる領域と第一基材のカード部２０を隠蔽する面部分とが疑似接着構造を介して接着されている特徴がある。
カード部２０を隠蔽する面部分とは、カード部２０に対面する第一基材の面部分をいう。
多くの場合、第一基材１０と第二基材１１は折り線１９介して接続しており、該折り線により折り畳みして、両基材間を接着した状態で製造する。ただし、接着後に折り線１９を切断する場合もあり、この場合、折り線は消失する。また、第一基材１０と第二基材１１を異なる材質を使用し、折り線を介さずに製造する場合もある。
【００１６】
以下、主として折り線１９がある状態の実施形態で説明するが、折り線１９は必須の構成ではない。
図１は、第一基材１０と第二基材１１を折り線１９により折り畳んだ後の台紙一体型カード１００である。第二基材１１を上面とする平面図であるため、第一基材１０は、引掛け孔１２がある斜線のハッチングを施した表示板部分１７のみに見えているが、大部分は第二基材１１の背面になっていて、図示上見えない。
第二基材１１には、切り込み２３により、カード部２０の外周形状が形成されている。切り込み２３は、２〜６箇所程度の微小な接続部を残していてもよく、カード部２０の外周の全部を切断してもよい。カード部２０の内面と第一基材１０の間は疑似接着構造になっていて、全周囲を切断しても自然に剥離することはないからである。
【００１７】
表示板部分１７とは、図１において、斜めのハッチングが施された長方形の部分であって、カード部２０の上部に位置する面部分である。当該部分には引掛け孔１２があって、台紙一体型カード２０を懸架して陳列する機能を行う。各種表示がされることが多い。
図１の場合、表示板部分１７は、第一基材１０の１枚の基材からなるので、強度が十分でない場合は、引掛け孔１２の周囲、あるいは表示板部分１７の全体を補強材で強化しても良い。
【００１８】
図２は、第１実施形態に係る台紙一体型カードの背面図である。図１とは表裏の関係になる。図２では、第一基材１０のみが見え、第二基材１１は背面になっていて見えない。
第一基材１０のカード部２０に対面する部分はカード部を隠蔽する面部分２６であって、その不透明性により、カード部２０の情報が視認できないようにしている。
第一基材１０にカード部２０の切り込み２３が見えないのは、切り込み２３は、疑似接着構造部までを切断して、第一基材１０を切断しないようにされているからである。
第一基材１０の外面には、光学読取り可能なコード情報２５が形成されている。
【００１９】
図３は、第１実施形態に係る台紙一体型カードの断面図である。図１におけるＡ−Ａ断面に相当する。
第一基材１０と第二基材１１との間は、第一基材側の感熱接着剤層３０と第二基材側の感熱接着剤層３１とを介し、疑似接着構造１６により接着している。疑似接着構造１６は、一定の剥離強度を超える剥離力が作用した場合には剥離するが、通常の使用状態では剥離することのない強度で接着している状態をいう。そのような疑似接着構造１６の形成は、各種の方法がるが、第一の樹脂層１４と第二の樹脂層１５の積層構造により得られる。
一例として、第一の樹脂層１４としてポリエチレンテレフタレート（ＰＥＴ）とエチレン−アクリル酸エチル共重合体を、第二の樹脂層１５としてポリエチレンを使用し、両者を溶融共押出ししてラミネートした積層シートを使用することができる。
【００２０】
この疑似接着構造１６の一方側面に感熱接着剤層３０、他方側面に感熱接着剤層３１を塗工した接着シートを、第一基材１０と第二基材１１の間に挟んで、熱シールすることで、第一基材１０と第二基材１１間に疑似接着構造１６を形成できる。この疑似接着構造１６は、一度剥離すると再接着することはない。
感熱接着剤層３０，３１とはホットメルト接着剤のことで、常温では固体状であるが低温で溶融して接着性に優れることを特徴とする。この感熱接着剤層３０、３１を第一の樹脂層１４と第二の樹脂層１５の両面に薄層にして形成することで、テープ状の接着材料として使用できる。
感熱接着剤は第一基材１０と第二基材１１に強固に接着するので、第一基材１０と第二基材１１間を剥離しようとすれば、接着力の弱い第一の樹脂層１４と第二の樹脂層１５の間で剥離することになる。
【００２１】
カード部２０を形成するために、第二基材１１側から、切り込み２３が形成されている。切り込み２３は、第一の樹脂層１４と第二の樹脂層１５の間に到るように形成される。
カード部２０となる第二基材１１面には、コード情報２１が形成され、同一数値または内容を表示するコード情報２５が第一基材１０の外面にも形成されている。
【００２２】
図４は、第１実施形態に係る台紙一体型カード１００を折り線１９から開いた場合の疑似接着構造１６側の見開き図である。見開き図であるから、疑似接着構造１６の第一の樹脂層１４と第二の樹脂層１５の界面で剥離した状態となる。疑似接着構造１６により接着する前の板紙の状態に似ているが、接着前の板紙には、第一の樹脂層１４と第二の樹脂層１５、感熱接着剤層３０，３１は、設けられていないので、同一のものではない。
図４において、第一基材１０と第二基材１１の境界には折り線１９が形成されている。
第一基材１０のカード部２０を含む第二基材１１に対面する部分に第一の樹脂層１４が露出し、第二基材１１のカード部２０を含む域に第二の樹脂層１５が露出している。
第一の樹脂層１４と第二の樹脂層１５の背後には、感熱接着剤層３０，３１があるが、図４では明示していない。
第一基材１０の第一の樹脂層１４がない領域（図上、斜めのハッチングで示す域）は、表示板部分１７であり、当該部分に引掛け孔１２が形成されている。
【００２３】
図４で、カード部２０は、第二基材１１を切り込み２３によって打ち抜いた領域により構成される。台紙部は第一基材１０ならびに第二基材１１のうち、カード部２０を除く領域により構成される。表示板部分１７も広い意味で台紙部に含まれる。
台紙一体型カード１００を見開いた状態における基材の形状（第一基材１０と第二基材１１が接続した状態の形状）は、全体として長方形状であってコーナーが丸みを帯びた形状である。一般的には、第一基材１０と第二基材１１の折り線１９に平行する方向の長さＬ１が、１００〜１２０ｍｍ、第一基材１０の折り線１９に直交する方向の長さＬ２が、１１０〜１５０ｍｍ、第二基材１１の折り線１９に直交する方向の長さＬ３が、７０〜１１０ｍｍ、引掛け孔１２の表示板部分１７の折り線１９に直交する方向の長さＬ４は、３０〜４０ｍｍ程度にするのが好ましい。なお、角丸部分の曲率半径は、３ｍｍ程度にできる。
ただし、基材のサイズ、形状、厚み等は、自由に設定可能なものである。
【００２４】
カード部２０の領域内には、ＰＩＮコード２２と光学読取り可能なコード情報２１が少なくとも一つ形成されている。ＰＩＮコード２２は、後に利用者がＰＣに入力するコードであるから視覚で認識できる当該カード固有のコードである。光学読取り可能なコード情報２１も固有のコードである。台紙の裏面に形成されるコード情報２５と同一数値または内容の情報であり、バーコードリーダ等の光学読取り装置で読み取りする情報である。
「少なくとも一つ形成」とするのは、２以上のＰＩＮコードやコード情報を設ける場合もあり、少なくとも一つはなければ、機能を達成できないからである。
台紙一体型カード１００が販売された際に、レジの担当者が台紙裏面のコード情報２５を読み取りし、システムに入力することにより、当該カードの金銭価値が有効化される。
疑似接着された台紙内面のコード情報２１は、販売時点では読み取りに利用されないが、台紙自体が廃棄され、カード部２０だけが残っている際に必要となる場合があるため、カード部２０の内面にもコード情報２１を形成している。
光学読取り可能なコード情報２１は、一次元コードや二次元コードである。
【００２５】
カード部２０のカードの規格サイズは、国際規格ＩＳＯで規定する、縦５３．９８ｍｍ、横８５．６０ｍｍ、厚み０．７６ｍｍのＩＤ−１型であるが、本発明では必ずしもそれに限定されない。切り込み２３は、前記のように全周囲を切断しても良く、接続部を残してもよいものである。
【００２６】
図５は、第１実施形態に係る台紙一体型カードの図４とは、反対側面の見開き図である。
反対側面も疑似接着構造側面と同一サイズであり、第二基材１１面には、カード部２０を区画する切り込み２３が形成されている。図示していないが、通常は、カード部２０を装飾する各種デザインが印刷されている。台紙部である第一基材１０面には、前記のように光学読取り可能なコード情報２５が形成されている。
第一基材１０の表示板部分１７には補強材が設けられていてもよく、当該部分に引掛け孔１２が形成されている。
【００２７】
次に、第２実施形態について説明するが、第１実施形態と共通する構成は適宜省略して説明する。
【００２８】
図６は、第２実施形態に係る台紙一体型カードの平面図である。
第２実施形態に係る台紙一体型カード１００は、カード部２０を隠蔽する面部分と表示板部分１７とを有する不透明な第一基材１０と、カード部２０と表示板部分１８となる領域を含む不透明な第二基材１１と、の間の少なくともカード部２０となる領域と第一基材１０のカード部を隠蔽する面部分とが疑似接着構造を介して接着されている特徴がある。
また、第１実施形態の折り線１９が、カード部２０側に形成されているのに対し、第２実施形態では、表示板部分１７，１８の上方側に折り線１９を形成している。
図６は、第一基材１０と第二基材１１を折り線１９により折り畳んだ後の台紙一体型カード１００である。第二基材１１を上面とする平面図であるため、第一基材１０は第二基材の背面になっていて、図示上見えない。
なお、折り線１９が無い場合もあるのは、第１実施形態と同様である。
【００２９】
第二基材１１には、切り込み２３により、カード部２０の外形形状が形成されている。切り込み２３の形成は、第１実施形態と同様にすることができる。
表示板部分１７，１８には、共通の引掛け孔１２が形成され、台紙一体型カード２０を懸架して陳列する機能を果たす。
【００３０】
図７は、第２実施形態に係る台紙一体型カードの背面図である。図６とは表裏の関係になる。図７では、第一基材１０のみが見え、第二基材１１は背面になっていて見えない。
第一基材１０のカード部２０に対面する部分はカード部を隠蔽する面部分２６であって、その不透明性により、カード部２０の情報が視認できないようにしている。
第一基材１０にカード部２０の切り込み２３が見えないのは、切り込み２３は、疑似接着構造部１６までを切断して、第一基材１０を切断しないようにされているからである。
第一基材１０の外面には、光学読取り可能なコード情報２５が形成されている。
【００３１】
図８は、第２実施形態に係る台紙一体型カードの断面図である。図６におけるＡ−Ａ断面に相当する。
第一基材１０と第二基材１１との間は、第一基材側の感熱接着剤層３０と第二基材側の感熱接着剤層３１とを介し、疑似接着構造１６により接着している。疑似接着構造１６は、一定の剥離強度を超える剥離力が作用した場合には剥離するが、通常の使用状態では剥離することのない強度で接着している状態をいう。そのような疑似接着構造１６の形成は、各種の方法がるが、第一の樹脂層１４と第二の樹脂層１５の積層構造により得られる。
第一の樹脂層１４と第二の樹脂層１５、および感熱接着剤層３０，３１の詳細は、第１実施形態で詳述した内容と同一である。
【００３２】
カード部２０を形成するために、第二基材１１側から、切り込み２３が形成されている。切り込み２３は、第一の樹脂層１４と第二の樹脂層１５の間に到るように形成される。
カード部２０となる第二基材１１面には、コード情報２１が形成され、同一数値または内容を表示するコード情報２５が第一基材１０の外面にも形成されている。
【００３３】
図９は、第２実施形態に係る台紙一体型カード１００を折り線から開いた場合の疑似接着構造１６側の見開き図である。見開き図であるから、疑似接着構造１６の第一の樹脂層１４と第二の樹脂層１５の界面で剥離した状態となる。
図９において、第一基材１０と第二基材１１の境界には折り線１９が形成されている。
第一基材１０のカード部２０を隠蔽する部分を含む第二基材１１に対面する部分に、第一の樹脂層１４が露出し、第二基材１１のカード部２０を含む面に第二の樹脂層１５が露出している。外面が表示板部分１７，１８となる部分には、第一の樹脂層、第二の樹脂層が形成されていない。すなわち、この実施形態では、この部分は疑似接着構造１６を形成していないことを示している。
引掛け孔１２が形成されている外面が表示板部分１７，１８となる部分は折り畳みの内面になるが、この間は接着されないか、通常の接着剤で接着される。
第１実施形態と異なり、表示板部分が２枚の基材からなるので、強度が高く補強材は必要ないかもしれないが、２枚の表示板部分１７，１８間に補強材を挿入しても良い。
【００３４】
図９で、カード部２０は、第二基材１１を切り込み２３によって打ち抜いた領域により構成される。台紙部は第一基材１０ならびに第二基材１１のうち、カード部２０を除く領域により構成される。
台紙一体型カード１００を見開いた状態における基材の形状（第一基材１０と第二基材１１が接続した状態の形状）は、全体として長方形状であってコーナーが丸みを帯びた形状である。一般的には、第一基材１０と第二基材１１の折り線１９に平行する方向の長さＬ１が、１００〜１２０ｍｍ、第一基材１０の折り線１９に直交する方向の長さＬ２が、１１０〜１５０ｍｍ、第二基材１１の折り線１９に直交する方向の長さＬ３が、１１０〜１５０ｍｍ、引掛け孔１２の表示板部分１７の折り線１９に直交する方向の長さＬ４は、３０〜４０ｍｍ程度にするのが好ましい。なお、角丸部分の半径は、３ｍｍ程度にできる。
ただし、基材のサイズ、形状、厚み等は、自由に設定可能なものである。
【００３５】
カード部２０の領域内には、ＰＩＮコード２２と光学読取り可能なコード情報２１が少なくとも一つ形成されている。ＰＩＮコード２２は、後に利用者がＰＣに入力するコードであるから視覚で認識できる当該カード固有のコードである。光学読取り可能なコード情報２１も固有のコードである。台紙の裏面に形成されるコード情報２５と同一数値または内容の情報であり、バーコードリーダ等の光学読取り装置で読み取りする情報である。
台紙一体型カード１００が販売された際に、レジの担当者が台紙裏面のコード情報２５を読み取りし、システムに入力することにより、当該カードの金銭価値が有効化されるものである。疑似接着された台紙内面のコード情報２１は、販売時点では読み取りに利用されないが、台紙自体が廃棄され、カード部２０だけが残っている際に利用される場合があるため、カード部２０の内面にもコード情報２１を形成している。
光学読取り可能なコード情報２１は、一次元コードや二次元コードである。
【００３６】
カード部２０のカードの規格サイズは、国際規格ＩＳＯで規定する、縦５３．９８ｍｍ、横８５．６０ｍｍ、厚み０．７６ｍｍのＩＤ−１型であるが、本発明では必ずしもそれに限定されない。切り込み２３は、前記のように全周囲を切断しても良く、接続部を残してもよいものである。
【００３７】
図１０は、第２実施形態に係る台紙一体型カード１００を折り線から開いた場合のほぼ全域に設けた疑似接着構造１６側の見開き図である。見開き図であるから、疑似接着構造１６の第一の樹脂層１４と第二の樹脂層１５の界面で剥離した状態となる。
図９と同一面であるが、図１０では、第一基材１０と第二基材１１が、対面する面のほぼ全域に疑似接着構造１６が形成されている特徴があり、図９と相違する点である。その他の構成は図９の場合と同様である。このように、全域疑似接着構造にしても良いが、疑似接着テープの使用面積が増大する。
ほぼ全域とするのは、実際には全範囲を疑似接着にしても、折り線付近や仕上げ位置付近は僅かに隙間があき、全ての領域に疑似接着を設けることはできないからである。
【００３８】
図１１は、第２実施形態に係る台紙一体型カードの図９、図１０とは、反対側面の見開き図である。反対側面も疑似接着構造側面と同一サイズであり、第二基材１１面には、カード部２０を区画する切り込み２３が形成されている。図示していないが、通常は、カード部２０を装飾する各種デザインが印刷されている。台紙部である第一基材１０面には、前記のように光学読取り可能なコード情報が形成されている。表示板部分１７，１８の間に折り線１９が形成されている。
【００３９】
次に、第３実施形態について説明するが、第１実施形態、第２実施形態と共通する構成は適宜省略して説明する。
【００４０】
図１２は、第３実施形態に係る台紙一体型カードの平面図である。
第３実施形態に係る台紙一体型カード１００は、カード部を隠蔽する面部分と表示板部分とを有する不透明な第一基材と、カード部と表示板部分となる領域を含む不透明な第二基材と、の間のカード部となる領域と第一基材のカード部を隠蔽する面部分、および第一基材と第二基材の表示板部分、とが疑似接着構造を介して接着されている特徴がある。
第２実施形態の折り線１９が、表示板部分側に形成されているのに対し、第３実施形態では、カード部２０に近い側に折り線１９を形成している。
図１２は、第一基材１０と第二基材１１を折り線１９により折り畳んだ後の台紙一体型カード１００である。第二基材１１を上面とする平面図であるため、第一基材１０は第二基材の背面になっていて、図示上見えない。
【００４１】
第二基材１１には、切り込み２３により、カード部２０の外形形状が形成されている。切り込み２３の形成は、第１実施形態と同様にすることができる。表示板部分１７，１８の引掛け孔１２は、台紙一体型カード２０を懸架して陳列するための孔である。
【００４２】
図１３は、第３実施形態に係る台紙一体型カードの背面図である。図１２とは表裏の関係になる。図１３では、第一基材１０のみが見え、第二基材１０は背面になっていて見えない。第一基材１０のカード部２０に対面する部分はカード部を隠蔽する面部分２６であって、その不透明性により、カード部２０の情報が視認できないようにしている。
第一基材１０にカード部２０の切り込み２３が見えないのは、切り込み２３は、疑似接着構造部１６までを切断して、第一基材１０を切断しないようにされているからである。
第一基材１０の外面には、光学読取り可能なコード情報２５が形成されている。
【００４３】
図１４は、第３実施形態に係る台紙一体型カードの断面図である。図１２におけるＡ−Ａ断面に相当する。
第一基材１０と第二基材１１との間は、第一基材側の感熱接着剤層３０と第二基材側の感熱接着剤層３１とを介し、疑似接着構造１６により接着している。疑似接着構造１６は、一定の剥離強度を超える剥離力が作用した場合には剥離するが、通常の使用状態では剥離することのない強度で接着している状態をいう。そのような疑似接着構造１６の形成は、各種の方法がるが、第一の樹脂層１４と第二の樹脂層１５の積層構造により得られる。
第一の樹脂層１４と第二の樹脂層１５、および感熱接着剤層３０，３１の詳細は、第１実施形態で詳述した内容と同一である。
【００４４】
カード部２０を形成するために、第二基材１１側から、切り込み２３が形成されている。切り込み２３は、第一の樹脂層１４と第二の樹脂層１５の間に到るように形成される。
カード部２０となる第二基材１１面には、コード情報２１が形成され、同一数値または内容を表示するコード情報２５が第一基材１０の外面にも形成されている。
【００４５】
図１５は、第３実施形態に係る台紙一体型カード１００を折り線から開いた場合の疑似接着構造１６側の見開き図である。見開き図であるから、疑似接着構造１６の第一の樹脂層１４と第二の樹脂層１５の界面で剥離した状態となる。
図１５において、第一基材１０と第二基材１１の境界には折り線１９が形成されている。
第一基材１０のほぼ全域に第一の樹脂層１４が露出され、第二基材１１のほぼ全域に第二の樹脂層１５が露出している。引掛け孔１２が形成されている表示板部分の裏面にも第一、第二の樹脂層が露出している。
【００４６】
図１５で、カード部２０は、第二基材１１を切り込み２３によって打ち抜いた領域により構成される。台紙部は第一基材１０ならびに第二基材１１のうち、カード部２０を除く領域により構成される。カード部を隠蔽する面部分２６や表示板部分１７，１８も広い意味で台紙部に含まれる。
台紙一体型カード１００を見開いた状態における基材の形状（第一基材１０と第二基材１１が接続した状態の形状）は、全体として長方形状であってコーナーが丸みを帯びた形状である。代表的なサイズは、第一基材１０と第二基材１１の折り線１９に平行する方向の長さＬ１が、１００〜１２０ｍｍ、第一基材１０の折り線１９に直交する方向の長さＬ２が、１１０〜１５０ｍｍ、第二基材１１の折り線１９に直交する方向の長さＬ３が、１１０〜１５０ｍｍ程度にするのが好ましい。なお、角丸部分の半径は、３ｍｍ程度にできる。
ただし、基材のサイズ、形状、厚み等は、自由に設定可能なものである。
【００４７】
カード部２０の領域内には、ＰＩＮコード２２と光学読取り可能なコード情報２１が少なくとも一つ形成されている。ＰＩＮコード２２は、後に利用者がＰＣに入力するコードであるから視覚で認識できる当該カード固有のコードである。光学読取り可能なコード情報２１も固有のコードである。台紙の裏面に形成されるコード情報２５と同一数値または内容の情報であり、バーコードリーダ等の光学読取り装置で読み取りする情報である。
台紙一体型カード１００が販売された際に、レジの担当者が台紙裏面のコード情報２５を読み取りし、システムに入力することにより、当該カードの金銭価値が有効化されるものである。疑似接着された台紙内面のコード情報２１は、販売時点では読み取りに利用されないが、台紙自体が廃棄され、カード部２０だけが残っている際に利用される場合があるため、カード部２０の内面にもコード情報２１を形成している。
光学読取り可能なコード情報２１は、一次元コードや二次元コードである。
【００４８】
カード部２０のカードの規格サイズは、国際規格ＩＳＯで規定する、縦５３．９８ｍｍ、横８５．６０ｍｍ、厚み０．７６ｍｍのＩＤ−１型であるが、本発明では必ずしもそれに限定されない。切り込み２３は、前記のように全周囲を切断しても良く、接続部を残してもよいものである。
【００４９】
図１６は、第３実施形態に係る台紙一体型カードの図１５とは、反対側面の見開き図である。反対側面も疑似接着構造側面と同一サイズであり、第二基材１１面には、カード部２０を区画する切り込み２３が形成されている。図示していないが、通常は、カード部２０を装飾する各種デザインが印刷されている。台紙部であり第一基材１０面には、前記のように光学読取り可能なコード情報２５が形成されている。
【００５０】
台紙一体型カード１００の使用方法について説明する。台紙一体型カード１００の目的は、冒頭の背景技術でも記載したように、カードの不正使用を防止する目的である。
カードの購入者が、販売店で対価の支払いをした際には、店舗の店員が台紙一体型カード１００のコード情報２５をリーダーで読み取りし、その情報をレジに入力する。
当該レジは、管理システムのホストコンピュータに接続しており、ホストコンピュータでは、コード情報に係るデータとＰＩＮコードとの関連付けがされたテーブルに基づき、当該ＰＩＮコードが有効化される。
カード購入者が、台紙一体型カード１００からカード部２０を剥離し、ＰＩＮコード２２を視覚で確認した後は、自分のＰＣで、当該システムにアクセスして、ＰＩＮコードを入力する。入力後、システムは当該ＰＩＮコードが有効であることの認識に基づき、カードの対価に見合う取引額が登録され、当該取引額内のネット取引が、その後可能になる。
従って、レジで入力される前のカードはシステムで認証されていないので、不正取得したカードのＰＩＮコードを入力してもネット取引はできない。
【００５１】
次に、台紙一体型カード１００の製造方法の例について説明する。
（１）連続用紙を使用した製造方法の例
ａ１．まず、第一基材１０、第二基材１１となるそれぞれの連続用紙に所定の絵柄印刷を行う。
ｂ１．次に、丁合機で引掛け孔１２の加工や折り線１９の形成、表示板部分に対する補強材の貼付等の加工を行う。
ｃ１．コード情報２１，２５、ＰＩＮコード２２を印字する印字工程を行う。カード毎に固有のコード情報とＰＩＮコードを付する必要がある。
ｄ１．別途用意した疑似接着構造１６の両面に感熱接着剤層３０,３１が積層された感熱接着剤層付き接着シートが準備されているものとする。
ｅ１．前記加工後の第一基材１０と第二基材１１の間に前記感熱接着剤層付き接着シートを挿入して熱シールを行う。
ｆ１．最後に抜き工程を行い、個々の台紙一体型カードに分離する。この際、切り込み２３を疑似接着構造１６の剥離界面に達する深さに形成する加工も行う。
【００５２】
（２）枚葉用紙を使用した製造方法の例
ａ２．まず、第一基材１０、第二基材１１となるそれぞれの連続用紙に所定の絵柄印刷を行う。
ｂ２．次に、打ち抜き加工機で引掛け孔１２の加工や折り線１９の形成を行う。
（なお、枚葉用紙の場合は連続用紙に比べて用紙を選択することが可能であるから特に補強材の貼付は行わなくてもよい。）
ｃ２．コード情報２１，２５、ＰＩＮコード２２を印字する印字工程を行う。カード毎に固有のコード情報とＰＩＮピコードを付する必要がある。
ｄ２．別途用意した疑似接着構造１６の両面に感熱接着剤層３０,３１が積層された感熱接着剤層付き接着シートが準備されているものとする。
ｅ２．前記加工後の第一基材１０と第二基材１１の間に前記感熱接着剤層付き接着シートを挿入して熱シールを行う。
ｆ２．最後に抜き工程を行い、個々の台紙一体型カードに分離する。この際、切り込み２３を疑似接着構造の剥離界面に達する深さに形成する加工も行う。
【００５３】
（変形例）
カード部２０に形成されているコード情報２１と同じコード情報を台紙一体型カード１００の第一基材１０側の疑似接着構造１６形成面側に設けることで、運搬等によりコード情報２５が消滅されたとしても、カード部２０に形成されているコード情報を台紙から読み取ることが可能になる。
【００５４】
第２実施形態と第３実施形態の一部のように、第一基材１０と第二基材１１の間のほぼ全域が疑似接着構造を介して接着される場合は、感熱接着剤層付き接着シートによる熱シールの後に、引掛け孔１２の加工を行う必要がある。
【００５５】
＜材質に関する実施形態＞
（１）第一基材、第二基材について
第一基材、第二基材には、不透明な基材を使用できる。不透明とは、カード部のＰＩＮコードを台紙の外側から視認できない程度の不透明性があれば良い。材料自体が不透明である場合のほか、印刷して不透明化した場合も含まれる。
材質としては、ポリエチレンテレフタレート（ＰＥＴ）、ポリ塩化ビニル（ＰＶＣ）、非結晶性ポリエチレンテレフタレート（ＰＥＴ−Ｇ）等のプラスチックシート、または厚紙（上質紙、コート紙、合成紙、ラミネート加工紙等）が好適であるが、これに限定されるものではない。
（２）疑似接着構造について
第一の樹脂層としてＰＥＴとエチレン−アクリル酸エチル共重合体、第二の樹脂層としてポリエチレンの組み合わせ、第一の樹脂層としてＰＥＴ、第二の樹脂層としてアイオノマー樹脂の組み合わせ、第一の樹脂層としてエチレン−酢酸ビニル共重合樹脂、第二の樹脂層としてアイオノマー樹脂の組み合わせ、などが好ましく使用される。
第一の樹脂層１４と第二の樹脂層１５の厚みは、５〜２０μｍとなるようにする。
【実施例】
【００５６】
（実施形態１に関する実施例Ａ１：連続用紙を使用した例）
台紙一体型カード１００用の第一基材１０、第二基材１１となる連続用紙として、三菱製紙製三菱ＤＦカラーマット（１５７ｇ／ｍ２）を使用した。
また、疑似接着構造１６を形成するために、別途、感熱接着剤層付き接着シートを用意した。本実施例においては、第一の樹脂層１４として、ＰＥＴとエチレン−アクリル酸エチル共重合体を使用し、第二の樹脂層１５として、ポリエチレンを使用し、両樹脂を溶融共押し出ししたシートを作製して疑似接着構造用シートとした。
前記疑似接着構造用シートの両面に、７０°Ｃで熱接着するエチレン−酢酸ビニル共重合体系の感熱接着剤を塗工して、感熱接着剤層３０,３１を設け、感熱接着剤層付き接着シートを得た。
当該感熱接着剤層付き接着シートの質量は、４６．７ｇ／ｍ２であった。
まず、第一基材１０、第二基材１１となる連続用紙の両面にオフセット印刷機で絵柄印刷を行った。
次に、引掛け孔１２を形成するために、丁合機にて引っ掛け孔加工を行った。
次に、前記第二基材１１のカード部２０の疑似接着構造形成予定面にバーコードからなるコード情報２１とＰＩＮコード２２を、第一基材１０の外面にバーコードからなるコード情報２５をトナープリンタで印字した。
次に、前記第一基材１０と前記第二基材１１の間であって少なくともカード部２０となる領域の間に、前記感熱接着剤層付き接着シートを挿入して、折り線１９から二つ折りにした後、熱シーラー板間で、熱シールして第一基材１０と第二基材１１の間を前記感熱接着剤層付き接着シートで接着した。また、同時にカード形状の切り込み加工を行った。
このようにして同時に接着することで第一基材１０と第二基材１１の間に疑似接着構造用シートが形成されたシート状のものが得られた。
前記シート状となったものに対して仕上げの打ち抜き加工、必要に応じてハーフカット加工を施して台紙形状に加工した。
【００５７】
（実施形態１に関する実施例Ｂ１：枚葉用紙を使用した例）
台紙一体型カード１００用の第一基材１０、第二基材１１として、王子製紙株式会社製のＯＫエルカード（３１０ｇ／ｍ２；縦横５４０ｍｍ×３９０ｍｍ  ６面付用厚紙）を使用した。
疑似接着構造１６を形成するための感熱接着剤層付き接着シートについては実施例Ａ１と同じであるから説明を省略する。
まず、第一基材１０、第二基材１１となる基材の両面に、オフセット印刷機で、表裏各２回の絵柄印刷を行った。
次に、第二基材１１のカード部２０の疑似接着構造側となる面に、バーコードからなるコード情報２１とＰＩＮコード２２を、第一基材１０の外面にバーコードからなるコード情報２５をインクジェットプリンタで印字した。
次に、枚葉用紙に多面付け（例えば６面付け）で製造された台紙厚紙を、平台抜き機で抜き加工を行った。引掛け孔１２とカード部２０の抜き加工は、０．８ｍｍのピナクル刃を使用し、ミシン目の折り線１９は、筋押し機で加工し、個々の台紙一体型カード用紙とした。図４における各部の寸法は、Ｌ１が１１０ｍｍ、Ｌ２が１３３ｍｍ、Ｌ３が１００ｍｍ、Ｌ４が３３ｍｍとなるようにした場合の例である。
次に、第一基材１０と第二基材１１を折り線１９で折り畳み、両基材の間のカード部２０となる領域の間に、前記感熱接着剤層付き接着シートを挿入して、折り線１９から二つ折りにした後、熱シーラー板間で、熱シールして第一基材１０と第二基材１１の間を接着した。
このようにして第一基材１０と第二基材１１の間に疑似接着構造が形成された台紙形状のものが得られた。
【００５８】
（実施形態２に関する実施例Ａ２：連続用紙を使用した例）
台紙一体型カード１００用の第一基材１０、第二基材１１となる連続用紙として、三菱製紙製三菱ＤＦカラーマット（１５７ｇ／ｍ２）を使用した。
また、疑似接着構造１６を形成するために、別途、感熱接着剤層付き接着シートを用意した。本実施例においては、第一の樹脂層１４として、ＰＥＴとエチレン−アクリル酸エチル共重合体を使用し、第二の樹脂層１５として、ポリエチレンを使用し、両樹脂を溶融共押し出ししたシートを作製して疑似接着構造用シートとした。
前記疑似接着構造用シートの両面に、７０°Ｃで熱接着するエチレン−酢酸ビニル共重合体系の感熱接着剤を塗工して、感熱接着剤層３０,３１を設け、感熱接着剤層付き接着シートを得た。
当該感熱接着剤層付き接着シートの質量は、４６．７ｇ／ｍ２であった。
【００５９】
まず、第一基材１０、第二基材１１となる連続用紙の両面にオフセット印刷機で絵柄印刷を行った。
次に、引掛け孔１２を形成するために、丁合機にて引っ掛け孔加工を行った。
次に、前記第二基材１１のカード部２０の疑似接着構造形成予定面にバーコードからなるコード情報２１とＰＩＮコード２２を、第一基材１０の外面にバーコードからなるコード情報２５をトナープリンタで印字した。
次に、前記第一基材１０と前記第二基材１１の間であって少なくともカード部２０となる領域の間に、前記感熱接着剤層付き接着シートを挿入して、折り線１９から二つ折りにした後、熱シーラー板間で、熱シールして第一基材１０と第二基材１１の間を前記感熱接着剤層付き接着シートで接着した。また、同時にカード形状の切り込み加工を行った。
このようにして同時に接着することで第一基材１０と第二基材１１の間に疑似接着構造用シートが形成されたシート状のものが得られた。
前記シート状となったものに対して仕上げの打ち抜き加工、必要に応じてハーフカット加工を施して台紙形状に加工した。
【００６０】
（実施形態２に関する実施例Ｂ２：枚葉用紙を使用した例）
台紙一体型カード１００用の第一基材１０、第二基材１１として、王子製紙株式会社製のＯＫエルカード（３１０ｇ／ｍ２；縦横５４０ｍｍ×３９０ｍｍ  ６面付用厚紙）を使用した。この基材の両面に、オフセット印刷機で、表裏各２回の絵柄印刷を行った。
次に、第二基材１１のカード部２０の疑似接着構造側となる面に、バーコードからなるコード情報２１とＰＩＮコード２２を、第一基材１０の外面にバーコードからなるコード情報２５をインクジェットプリンタで印字した。
疑似接着構造１６を形成するために、第一の樹脂層１４として、ＰＥＴとエチレン−アクリル酸エチル共重合体を使用し、第二の樹脂層１５として、ポリエチレンを使用し、両樹脂を溶融共押し出ししたシートを作製して疑似接着構造用シートとした。
このシートの両面に、７０°Ｃで熱接着するエチレン−酢酸ビニル共重合体系の感熱接着剤を塗工して、感熱接着剤層３０,３１付き接着シートを得た。
前記エチレン−酢酸ビニル系共重合体系感熱接着剤と前記ＰＥＴとエチレン−アクリル酸エチル共重合体の重量は、３０．０ｇ／ｍ２、前記エチレン−酢酸ビニル共重合体系の感熱接着剤と前記ポリエチレンの重量は、１６．７ｇ／ｍ２、当該接着シートの全体重量は、４６．７ｇ／ｍ２であった。
【００６１】
６面付きで製造された台紙厚紙を、平台抜き機で抜き加工を行った。引掛け孔１２とカード部２０の抜き加工は、０．８ｍｍのピナクル刃を使用し、ミシン目の折り線１９は、筋押し機で加工し、個々の台紙一体型カード用紙とした。
図９における各部の寸法は、Ｌ１が１１０ｍｍ、Ｌ２が１３３ｍｍ、Ｌ３が１３３ｍｍ、Ｌ４が３３ｍｍとなるようにした。
第一基材１０と第二基材１１の間のカード部２０となる領域の間に、前記感熱接着剤層付き接着シートを挿入して、折り線１９から二つ折りにした後、熱シーラー板間で、熱シールして第一基材１０と第二基材１１の間を接着した。
【００６２】
（実施形態３に関する実施例Ａ３：連続用紙を使用した例）
台紙一体型カード１００用の第一基材１０、第二基材１１となる連続用紙として、三菱製紙製三菱ＤＦカラーマット（１５７ｇ／ｍ２）を使用した。
また、疑似接着構造１６を形成するために、別途、感熱接着剤層付き接着シートを用意した。本実施例においては、第一の樹脂層１４として、ＰＥＴとエチレン−アクリル酸エチル共重合体を使用し、第二の樹脂層１５として、ポリエチレンを使用し、両樹脂を溶融共押し出ししたシートを作製して疑似接着構造用シートとした。
前記疑似接着構造用シートの両面に、７０°Ｃで熱接着するエチレン−酢酸ビニル共重合体系の感熱接着剤を塗工して、感熱接着剤層３０,３１を設け、感熱接着剤層付き接着シートを得た。
当該感熱接着剤層付き接着シートの質量は、４６．７ｇ／ｍ２であった。
【００６３】
まず、第一基材１０、第二基材１１となる連続用紙の両面にオフセット印刷機で絵柄印刷を行った。
次に、引掛け孔１２を形成するために、丁合機にて引っ掛け孔加工を行った。
次に、前記第二基材１１のカード部２０の疑似接着構造形成予定面にバーコードからなるコード情報２１とＰＩＮコード２２を、第一基材１０の外面にバーコードからなるコード情報２５をトナープリンタで印字した。
次に、前記第一基材１０と前記第二基材１１の間であって少なくともカード部２０となる領域の間に、前記感熱接着剤層付き接着シートを挿入して、折り線１９から二つ折りにした後、熱シーラー板間で、熱シールして第一基材１０と第二基材１１の間を前記感熱接着剤層付き接着シートで接着した。また、同時にカード形状の切り込み加工を行った。
このようにして同時に接着することで第一基材１０と第二基材１１の間に疑似接着構造用シートが形成されたシート状のものが得られた。
前記シート状となったものに対して仕上げの打ち抜き加工、必要に応じてハーフカット加工を施して台紙形状に加工した。
【００６４】
（実施形態３に関する実施例Ｂ３：枚葉用紙を使用した例）
台紙一体型カード１００用の第一基材１０として、王子製紙株式会社製のＯＫエルカード（３１０ｇ／ｍ２；縦横５４０ｍｍ×３９０ｍｍ  １２面付用厚紙）を使用し、第二基材１１として、第一基材１０と同サイズで、厚み３００μｍのＰＥＴシートを使用した。
この第一、第二基材の両面に、オフセット印刷機で、表裏各２回の絵柄印刷を行った。第二基材であるＰＥＴシートの外面は白色ベタ印刷の上に絵柄を印刷し不透明化した。
次に、第二基材１１のカード部２０の疑似接着構造側となる面に、バーコードからなるコード情報２１とＰＩＮコード２２を、第一基材１０の外面にバーコードからなるコード情報２５をインクジェットプリンタで印字した。
【００６５】
疑似接着構造１６を形成するために、第一の樹脂層１４として、ＰＥＴとエチレン−アクリル酸エチル共重合体を使用し、第二の樹脂層１５として、ポリエチレンを使用し、両樹脂を溶融共押し出ししたシートを作製して疑似接着構造用シートとした。
このシートの両面に、７０°Ｃで熱接着するエチレン−酢酸ビニル共重合体系の感熱接着剤を塗工して、感熱接着剤層３０,３１付き接着シートを得た。
前記エチレン−酢酸ビニル系共重合体系感熱接着剤と前記ＰＥＴとエチレン−アクリル酸エチル共重合体の重量は、３０．０ｇ／ｍ２、前記エチレン−酢酸ビニル共重合体系の感熱接着剤と前記ポリエチレンの重量は、１６．７ｇ／ｍ２、当該接着シートの全体重量は、４６．７ｇ／ｍ２であった。
【００６６】
１２面付きで製造された第一基材１０と第二基材１１を、平台抜き機で抜き加工を行った。引掛け孔１２とカード部２０の抜き加工は、０．８ｍｍのピナクル刃を使用した。
図１５における各部の寸法は、Ｌ１が１１０ｍｍ、Ｌ２が１３３ｍｍ、Ｌ３が１３３ｍｍ、となるようにした。
ただし、第一基材１０と第二基材１１は、異なる基材であるため、図１５のように折り線１９を形成したものではない。
【００６７】
第一基材１０と第二基材１１の間のカード部２０となる領域の間に、前記感熱接着剤層付き接着シートを挿入して、熱シーラー板間で、熱シールして第一基材１０と第二基材１１の間を接着した。その後、個々の台紙サイズに切断した。
【００６８】
実施形態１〜実施形態３の各実施例で得られた台紙一体型カード１００は、好適に実用できるものであった。
【符号の説明】
【００６９】
１００    台紙一体型カード
１０      第一基材
１１      第二基材
１２      引掛け孔
１４      第一の樹脂層
１５      第二の樹脂層
１６      疑似接着構造
１７，１８      表示板部分
１９      折り線
２０      カード部
２１      コード情報
２２      ＰＩＮコード
２３      切り込み
２５      コード情報
２６      カード部を隠蔽する面部分
３０，３１      感熱接着剤層
【図１】
2015033846.tif 000003
【図２】
2015033846.tif 000004
【図３】
2015033846.tif 000005
【図４】
2015033846.tif 000006
【図５】
2015033846.tif 000007
【図６】
2015033846.tif 000008
【図７】
2015033846.tif 000009
【図８】
2015033846.tif 000010
【図９】
2015033846.tif 000011
【図１０】
2015033846.tif 000012
【図１１】
2015033846.tif 000013
【図１２】
2015033846.tif 000014
【図１３】
2015033846.tif 000015
【図１４】
2015033846.tif 000016
【図１５】
2015033846.tif 000017
【図１６】
2015033846.tif 000018